(57)【要約】【課題】  レンズホルダに複数の対物レンズと補正用のコイルとが搭載された状態で、且つ対物レンズと光学素子との光軸方向の距離を短くして、薄型にできる「光ピックアップ装置」を提供することを目的とする。【解決手段】  レンズホルダ３０の上面にＢＤ用の第１の対物レンズ４１とＤＶＤ用の第２の対物レンズ４２が搭載されている。レンズホルダ３０の内部空間３６にプリズム４３を配置し、レンズホルダ３０の前面３４には、２つの対物レンズ４１，４２に個別に光を与えられるように、幅寸法Ｗの大きい開口部３７が形成されている。対物レンズ４１，４２と開口部３７がＲ１側に片寄って配置され、前側トラッキングコイルＣｔ２が、開口部３７と重ならないように、前面４３においてＲ２側に配置されている。【選択図】図２
2010277628.tif 000002
【特許請求の範囲】
【請求項１】
異なるメディアに対応する複数の対物レンズが搭載されたレンズホルダと、前記レンズホルダを動作自在に支持する支持機構と、前記レンズホルダを前記対物レンズの光軸方向に駆動するフォーカシングコイルと、前記レンズホルダを光軸方向と交叉するラジアル方向へ駆動するトラッキングコイルと、前記フォーカシングコイルと前記トラッキングコイルに磁界を与えるマグネットとが設けられた光ピックアップ装置において、
前記レンズホルダには、光軸方向とラジアル方向の双方に交叉するタンジェンシャル方向の前方に向けて開放された開口部と、前記開口部を通じて与えられる光を前記対物レンズに向けて反射する光学素子を収納する内部空間とが形成され、前記複数の対物レンズのラジアル方向の配列中心および前記開口部の中心が、前記レンズホルダの中心よりもラジアル方向の一方の側に片寄って配置されており、
前記トラッキングコイルは、前記レンズホルダのタンジェンシャル方向の前方に向く前面および後方に向く後面のそれぞれに取り付けられており、前記前面に取り付けられたトラッキングコイルは、その中心が、前記レンズホルダの中心に対して前記開口部が形成されているのと逆の側に片寄って取り付けられており、
前記フォーカシングコイルは、前記開口部から光軸方向へ外れる位置に取り付けられていることを特徴とする光ピックアップ装置。
【請求項２】
前記支持機構は、ピックアップベースに固定された支持部と、前記支持部から延びて前記レンズホルダを動作自在に支持する弾性支持部材とを有しており、前記支持部および前記弾性支持部材が、前記レンズホルダの前記後面側に設けられている請求項１記載の光ピックアップ装置。
【請求項３】
前記対物レンズの光軸がラジアル方向へ倒れる向きに前記レンズホルダを動作させる一対のチルトコイルと、前記チルトコイルに磁界を与えるマグネットとが設けられており、
一対の前記チルトコイルは、前記レンズホルダの前記後面において、ラジアル方向に間隔を空けて取り付けられており、前記後面に取り付けられるトラッキングコイルが、一対の前記チルトコイルの中間に配置されている請求項１または２記載の光ピックアップ装置。
【請求項４】
前記レンズホルダの前面に取り付けられている前記トラッキングコイルと、前記後面に取り付けられている前記トラッキングコイルは、前記光軸方向の同じ高さ位置にあり、それぞれのトラッキングコイルの駆動作用点と、前記レンズホルダの重心とが、前記光軸方向において同じ高さ位置に設定されている請求項１ないし３のいずれか１項に記載の光ピックアップ装置。
【請求項５】
複数の前記対物レンズの１つが、ブルーレイディスク用であり、ブルーレイディスク用の前記対物レンズが、前記レンズホルダの中心からラジアル方向へ最も離れた位置に配置されている請求項１ないし４のいずれか１項に記載の光ピックアップ装置。
【請求項６】
複数の前記対物レンズのうちのブルーレイディスク用の前記対物レンズが、ディスクの中心に最も近い位置に配置されている請求項５記載の光ピックアップ装置。
【発明の詳細な説明】
【技術分野】
【０００１】
本発明は、ＢＤやＤＶＤなどの異なるメディアに対応する対物レンズがレンズホルダに複数個搭載されている光ピックアップ装置に関する。
【背景技術】
【０００２】
下記の特許文献１には、異なるメディアに共通に使用される光ピックアップ装置が開示されている。この種の光ピックアップ装置は、それぞれのメディアに対応して異なる光学条件を持つ２つの対物レンズがひとつのレンズホルダに搭載されている。対物レンズは、レンズホルダ上でラジアル方向に間隔を空けて並べて配置されている。
【０００３】
レンズホルダは線状の弾性体によって光軸方向およびラジアル方向へ移動自在に支持されている。レンズホルダには、光軸方向へ駆動するためのフォーカシングコイルと、ラジアル方向へ駆動するためのトラッキングコイルが設けられており、固定側には、フォーカシングコイルとトラッキングコイルに磁界を与えるマグネットが設けられている。
【先行技術文献】
【特許文献】
【０００４】
【特許文献１】特開平９−１７００５号公報
【発明の概要】
【発明が解決しようとする課題】
【０００５】
光ピックアップ装置は、外部から与えられる光がプリズムによって直角に反射されて対物レンズに与えられ、この光が対物レンズでディスクの記録面に集光させられる。この種の光ピックアップ装置を薄型化するには、レンズホルダの内部にプリズムが介入できる内部空間を形成し、さらに、レンズホルダに、外部からの光をプリズムに導く開口部を形成することが必要である。
【０００６】
しかしながら、特許文献１に記載されているように、２個の対物レンズが搭載されたレンズホルダでは、並んで配置された２個の対物レンズに対して外部から個別に光を与えることが必要であるため、前記開口部を設けた場合に幅広く形成しなくてはならない。仮に幅広い開口部を設けようとすると、レンズホルダにフォーカシングコイルやトラッキングコイルを配置することが困難になる。特に、レンズホルダをラジアル方向へ傾けるチルトコイルを搭載しようとすると、開口部を設けることで、このチルトコイルを配置するスペースを確保できなくなる。
【０００７】
また、レンズホルダにフォーカシングコイルとトラッキングコイルならびにチルトコイルを配置し、さらに前記開口部を形成しようとすると、レンズホルダのラジアル方向の幅寸法があまりにも大きくなって、フォーカス補正やトラッキング補正のための動作を精度良く行わせることが難しくなる。
【０００８】
本発明は上記従来の課題を解決するものであり、複数の対物レンズを搭載したレンズホルダを使用し、しかも薄型化が可能であり、レンズホルダも可能な限り小型化を実現できる光ピックアップ装置を提供することを目的としている。
【課題を解決するための手段】
【０００９】
本発明は、異なるメディアに対応する複数の対物レンズが搭載されたレンズホルダと、前記レンズホルダを動作自在に支持する支持機構と、前記レンズホルダを前記対物レンズの光軸方向に駆動するフォーカシングコイルと、前記レンズホルダを光軸方向と交叉するラジアル方向へ駆動するトラッキングコイルと、前記フォーカシングコイルと前記トラッキングコイルに磁界を与えるマグネットとが設けられた光ピックアップ装置において、
前記レンズホルダには、光軸方向とラジアル方向の双方に交叉するタンジェンシャル方向の前方に向けて開放された開口部と、前記開口部を通じて与えられる光を前記対物レンズに向けて反射する光学素子を収納する内部空間とが形成され、前記複数の対物レンズのラジアル方向の配列中心および前記開口部の中心が、前記レンズホルダの中心よりもラジアル方向の一方の側に片寄って配置されており、
前記トラッキングコイルは、前記レンズホルダのタンジェンシャル方向の前方に向く前面および後方に向く後面のそれぞれに取り付けられており、前記前面に取り付けられたトラッキングコイルは、その中心が、前記レンズホルダの中心に対して前記開口部が形成されているのと逆の側に片寄って取り付けられており、
前記フォーカシングコイルは、前記開口部から光軸方向へ外れる位置に取り付けられていることを特徴とするものである。
【００１０】
本発明の光ピックアップ装置は、異なるメディアに対応する対物レンズがレンズホルダに複数個搭載されているが、複数の対物レンズ、ならびにそれぞれの対物レンズに光を与える開口部を、レンズホルダの中心よりもラジアル方向の一方へ片寄らせ、開口部と同じ側に設けられるトラッキングコイルを開口部と逆の側に片寄らせることにより、レンズホルダのラジアル方向の幅寸法を必要以上に大きくする必要がなく、しかもプリズムなどの光学素子を内部に収納でき、薄型に構成することができる。
【００１１】
本発明は、前記支持機構は、ピックアップベースに固定された支持部と、前記支持部から延びて前記レンズホルダを動作自在に支持する弾性支持部材とを有しており、前記支持部および前記弾性支持部材が、前記レンズホルダの前記後面側に設けられている。
【００１２】
また、本発明は、前記対物レンズの光軸がラジアル方向へ倒れる向きに前記レンズホルダを動作させる一対のチルトコイルと、前記チルトコイルに磁界を与えるマグネットとが設けられており、
一対の前記チルトコイルは、前記レンズホルダの前記後面において、ラジアル方向に間隔を空けて取り付けられており、前記後面に取り付けられるトラッキングコイルが、一対の前記チルトコイルの中間に配置されているものとして構成できる。
【００１３】
本発明の光ピックアップ装置は、レンズホルダのラジアル方向の幅寸法が、後面に設けられた１個のトラッキングコイルと２個のチルトコイルとを配列できる長さであり、３個のコイルがラジアル方向に配列する長さに対してレンズホルダの幅寸法が必要以上に大きくならない。この限られた幅寸法のレンズホルダの前面側において、複数の対物レンズと開口部を一方の側に片寄らせ、トラッキングコイルを他方の側に片寄らせることで、全ての機能を効率的に配置して、薄型化を実現できるようになる。
【００１４】
本発明は、前記レンズホルダの前面に取り付けられている前記トラッキングコイルと、前記後面に取り付けられている前記トラッキングコイルは、前記光軸方向の同じ高さ位置にあり、それぞれのトラッキングコイルの駆動作用点と、前記レンズホルダの重心とが、前記光軸方向において同じ高さ位置に設定されていることが好ましい。
【００１５】
本発明の光ピックアップ装置は、レンズホルダの前面側で、トラッキングコイルがラジアル方向の一方の側に片寄って配置され、レンズホルダの後面側で、トラッキングコイルがラジアル方向の中心に配置されており、レンズホルダの前面側と後面側とで、２つのトラッキングコイルの駆動作用点がラジアル方向において相違している。しかし、２つのトラッキングコイルの駆動作用点が、光軸方向に一致し、好ましくはこの駆動作用点がレンズホルダの重心と一致することで、トラッキング駆動時に、レンズホルダに不要な傾きを与えるモーメントが作用しにくくなる。
【００１６】
本発明は、複数の前記対物レンズの１つが、ブルーレイディスク用であり、ブルーレイディスク用の前記対物レンズが、前記レンズホルダの中心からラジアル方向へ最も離れた位置に配置されていることが好ましく、さらに、複数の前記対物レンズのうちのブルーレイディスク用の前記対物レンズが、ディスクの中心に最も近い位置に配置されていることが好ましい。
【００１７】
ＢＤ（ブルーレイディスク）はＤＶＤに比べて、ＢＣＡ（バーストカッティングエリア）がディスク中心に近い側に配置されているため、ブルーレイディスク用の対物レンズを、レンズホルダの最も端に配置し且つディスクの中心側に位置させることで、ＢＤのＢＣＡに記録されたＩＤ情報などを読み取りやすくできる。
【発明の効果】
【００１８】
本発明の光ピックアップ装置は、複数の対物レンズが搭載されたレンズホルダの内部空間にプリズムなどの光学素子が介入できるようにすることで、高さ寸法を低くできる。また、複数の対物レンズと、この対物レンズに光を導く開口部と、トラッキングコイルならびにフォーカシングコイル、さらにはチルトコイルの各機能部を、薄型で小さい幅寸法のレンズホルダに効率よく配置できるようになる。
【図面の簡単な説明】
【００１９】
【図１】本発明の実施の形態の光ピックアップ装置をタンジェンシャル方向の前方から示す斜視図、
【図２】光ピックアップ装置に設けられているレンズホルダをタンジェンシャル方向の前方から示す斜視図、
【図３】レンズホルダをタンジェンシャル方向の後方から示す背面図、
【図４】レンズホルダをラジアル方向から示す側面図、
【図５】（Ａ）（Ｂ）は、それぞれのコイルに対向するマグネットの磁極を示す説明図、
【発明を実施するための形態】
【００２０】
本発明の光ピックアップ装置は、複数種類のディスクに対する情報の再生や情報の記録を行なうことが可能であり、図１に示す光ピックアップ装置１０は、ＢＤ（ブルーレイ「Ｂｌｕ−ｒａｙ」ディスク）（ただし、「Ｂｌｕ−ｒａｙ」は登録商標））とＤＶＤ（ディジタルバーサタイルディスク）に対する情報の再生動作や情報の記録が可能である。
【００２１】
各図では、Ｆ１−Ｆ２方向が対物レンズの光軸方向であり、Ｆ１側がディスクとの対面側である。Ｒ１−Ｒ２方向がラジアル方向（ディスクの半径方向）であり、Ｒ１側が回転駆動部に装填されるディスクの中心側ならびに内周側で、Ｒ２側がディスクの外周側である。Ｔ１−Ｔ２方向がタンジェンシャル方向（ディスクに記録されている記録トラックの接線方向）である。Ｔ１方向が前方であり、Ｔ２方向が後方である。
【００２２】
光ピックアップ装置１０は、回転駆動部に装填されているディスクに対向してＲ１−Ｒ２方向へ移動する移動ベース（図示せず）に搭載される。
【００２３】
前記移動ベースには、レーザーダイオードなどの発光素子と、発光素子から発せられた光を対物レンズに与えるレンズ群や光分離器などの光学素子と、ディスクからの反射光を受光する受光素子を有した光学系が搭載されている。この移動ベースにはＢＤ用の光学系とＤＶＤ用の光学系とが個別に搭載されている。
【００２４】
図１に示すように、光ピックアップ装置１０はピックアップベース２０を有している。ピックアップベース２０は板金材料で折り曲げられて構成されている。ピックアップベース２０の３箇所に支持部２１，２２，２３が設けられている。支持部２１が前記移動ベース上で支えられ、支持部２２，２３と移動ベースとの間に圧縮コイルばねが介装され、且つ支持部２２，２３に挿通された調整ねじが移動ベースに螺着される。この構造では、２つの調整ねじの締め付け量を調整することで、移動ベース上において、ピックアップベース２０のラジアル方向（Ｒ１−Ｒ２方向）とタンジェンシャル方向（Ｔ１−Ｔ２方向）の傾き量が調整される。
【００２５】
ピックアップベース２０の底板２４上に、合成樹脂製の支持体２５が固定されている。支持体２５の後部（Ｔ２側）に基板２６が取り付けられている。基板２６には、弾性支持部材としてＲ１側とＲ２側に３本ずつ配置された金属製のワイヤ２７の基端部が固定されている。Ｒ１側とＲ２側に配置された３本のワイヤ２７は光軸方向（Ｆ１−Ｆ２方向）に並んでおり、前方（Ｔ１方向）へ向けて平行に延び出ている。
【００２６】
６本のワイヤ２７の先部に合成樹脂製のレンズホルダ３０が支持されている。レンズホルダ３０には、ラジアル方向の両側に突出する支持片３１が一体に形成されており、ワイヤ２７のそれぞれの先端部が支持片３１に固定されている。レンズホルダ３０は、ピックアップベース２０上において、ワイヤ２７によって、光軸方向（Ｆ１−Ｆ２方向）とラジアル方向（Ｒ１−Ｒ２方向）へ平行姿勢で移動自在であり、且つ光軸がラジアル方向へ倒れるラジアルチルト方向へ傾く動作が可能である。
【００２７】
図２に示すように、レンズホルダ３０は、Ｆ１方向に向く上面３２と、ラジアル方向に向く左右両側面３３，３３を有し、この左右両側面３３，３３から支持片３１，３１が一体に突出している。レンズホルダ３０はＴ１方向に向く前面３４と、Ｔ２方向に向く後面３５を有している。レンズホルダ３３の内部には、下方（Ｆ２方向）に開口する内部空間３６が形成されている。
【００２８】
レンズホルダ３０の上面３２には、上下に貫通して内部空間３６に連通するレンズ保持穴３２ａ，３２ｂが開口しており、一方のレンズ保持穴３２ａに第１の対物レンズ４１が保持され、他方のレンズ保持穴３２ｂに第２の対物レンズ４２が保持されている。第１の対物レンズ４１の光軸Ｏ１と第２の対物レンズ４２の光軸Ｏ２は互いに平行であり、共にワイヤ２７が延びる方向と直交する向きに延びている。光軸Ｏ１と光軸Ｏ２は、ラジアル方向（Ｒ１−Ｒ２方向）へ向く直線上に位置している。
【００２９】
第１の対物レンズ４１と第２の対物レンズ４２のラジアル方向への配列中心、すなわちラジアル方向へ延びる線上での光軸Ｏ１と光軸Ｏ２との間の中点は、レンズホルダ３０の両側面３３，３３間の幅寸法の中心よりもラジアル方向のディスク中心側（Ｒ１側）に片寄って配置されている。その結果、第１の対物レンズ４１は、レンズホルダ３０においてディスクの中心に最も近い側に位置している。
【００３０】
第１の対物レンズ４１はＢＤ用であり、第２の対物レンズ４２はＤＶＤ用である。第１の対物レンズ４１と第２の対物レンズ４２は光学条件が相違しており、ＢＤ用である第１の対物レンズ４１の開口数がＤＶＤ用である第２の対物レンズ４２よりも大きく、ＢＤ用である第１の対物レンズ４１の作動距離がＤＶＤ用である第２の対物レンズ４２よりも短い。
【００３１】
ＢＤとＤＶＤの記録領域は、中心部にＢＣＡ（バーストカッティングエリア）を有しており、ＢＣＡに、著作権保護用のメディアＩＤや、それぞれのディスクにおいて固有のＩＤなどが記録されている。ＢＤのＢＣＡはＤＶＤのＢＣＡよりもディスクの中心に近い領域に設けられている。レンズホルダ３０には、ディスクの中心側であるＲ１側にＢＤ用の第１の対物レンズ４１が設けられているため、光ピックアップ装置１０が、回転駆動部に装填されているディスクの内周側に移動したときに、第１の対物レンズ４１をＢＤのＢＣＡに対向させやすくなり、ＢＣＡの情報を正確に読むことが可能になる。
【００３２】
ピックアップベース２０が固定されている移動ベース上には、前記光学系を構成する光学素子のひとつであって全反射素子として機能するプリズム４３が固定されている。図１と図２および図４に示すように、プリズム４３は、レンズホルダ３０に形成された内部空間３６に入り込んでいる。
【００３３】
図４に示すように、プリズム４３の全反射面４３ａは、タンジェンシャル方向（Ｔ１−Ｔ２方向）と光軸方向（Ｆ１−Ｆ２方向）の双方に対して４５度の角度で配置されている。
【００３４】
図２に示すように、プリズム４３のラジアル方向（Ｒ１−Ｒ２方向）の幅寸法は、第１の対物レンズ４１の有効径と第２の対物レンズ４２の有効径の双方が、全反射面４３ａと対向できるように決められている。すなわち、プリズム４３はラジアル方向に長い細長形状である。
【００３５】
図２に示すように、レンズホルダ３０の前面３４に、開口部３７が切り欠いて形成されている。開口部３７は、ラジアル方向（Ｒ１−Ｒ２方向）に所定の幅寸法Ｗを有し、光軸方向（Ｆ１−Ｆ２方向）へ所定の高さ寸法Ｈを有して開口し、下方（Ｆ２方向）が開放されている。この開口部３７は、ラジアル方向の幅寸法Ｗの中心が、レンズホルダ３０のラジアル方向の中心よりもＲ１側に片寄って形成されている。また、開口部３７は、プリズム４３の全反射面４３ａの全てに対向でき、Ｔ２方向に送られてくるＢＤ用とＤＶＤ用の２系統の光ＬＢ（図４参照）を、全反射面４３ａに向けて通過させることができるように広い幅寸法Ｗで形成されている。
【００３６】
図１に示すように、ピックアップベース２０の前方（Ｔ１側）には、垂直に折り曲げられたヨーク２８が一体に形成されているが、このヨーク２８に、開口部３７に通じる切欠き部２８ａが形成されている。ＢＤ用の光学系とＤＶＤ用の光学系から発せられる光は、切欠き部２８ａと開口部３７を通過してプリズム４３の全反射面４３ａに与えられる。
【００３７】
図２に示すように、レンズホルダ３０の上部にコイル保持溝３８が形成されている。コイル保持溝３８は、前面３４と後面３５および左右両側面３３，３３にわたって全周に連続して形成されている。このコイル保持溝３８にフォーカシングコイルＣｆが巻かれている。フォーカシングコイルＣｆは、開口部３７の上縁とレンズホルダ３０の上面３２との間において、開口部３７と重複しない領域に取り付けられている。
【００３８】
図２に示すように、レンズホルダ３０の前面３４では、開口部３７のＲ２側の縁部と、Ｒ２側に向く側面３３との間にコイル設置凹部３４ａが形成されており、このコイル設置凹部３４ａ内に前側トラッキングコイルＣｔ１が設置されている。前側トラッキングコイルＣｔ１は、光軸方向（Ｆ１−Ｆ２方向）とラジアル方向（Ｒ１−Ｒ２方向）とを含む面と平行な垂直平面内においてループ状に巻かれており、コイル設置凹部３４ａ内に接着などの手段で固定されている。
【００３９】
レンズホルダ３０の前面３４では、開口部３７が、Ｒ１側に片寄った位置に形成されているため、トラッキングコイルＣｔ１は開口部３７を避けるように、レンズホルダ３０の中心よりもＲ２側に片寄った位置に配置されている。
【００４０】
図３に示すように、レンズホルダ３０の後面３５には、ラジアル方向の中央部で且つフォーカシングコイルＣｆの下側に、コイル設置凹部３５ａが形成され、このコイル設置凹部３５ａ内に、後側トラッキングコイルＣｔ２が設置されている。後側トラッキングコイルＣｔ２は、垂直面内においてループ状に巻かれており、コイル設置凹部３５ａの内部に接着などの手段で固定されている。
【００４１】
レンズホルダ３０の後面３５の左右両側には、一対のコイル設置凹部３５ｂ，３５ｃが形成されており、それぞれのコイル設置凹部３５ｂ，３５ｃ内に、チルトコイルＣｌｔが設置されている。それぞれのチルトコイルＣｌｔ，Ｃｌｔは、垂直面内においてループ状に巻かれており、それぞれのコイル設置凹部３５ｂ，３５ｃの内部に接着などの手段で固定されている。
【００４２】
後側トラッキングコイルＣｔ２は、その巻き中心が、レンズホルダ３０のラジアル方向（Ｒ１−Ｒ２方向）の幅寸法の中心と一致する位置に取り付けられている。また、一対のチルトコイルＣｌｔの巻き中心は、レンズホルダ３０のラジアル方向の幅寸法の中心に対して左右に等距離を開けて配置されている。
【００４３】
図３に示すように、レンズホルダ３０のラジアル方向の幅寸法は、後側トラッキングコイルＣｔ２と２個のチルトコイルＣｌｔの３個のコイルが並んだ寸法よりもやや大きい寸法であり、前記幅寸法は、３個のコイルＣｔ２，Ｃｌｔ，Ｃｌｔの幅寸法の総和よりも過剰に大きくなっていない。また、前面３４側においても、開口部３７と前側トラッキングコイルＣｔ１が接近して配置されており、レンズホルダ３０のラジアル方向の幅寸法が、開口部３７の幅寸法Ｗと前側トラッキングコイルＣｔ１の幅寸法との総和よりもわずかに大きいだけである。
【００４４】
よって、レンズホルダ３０に、開口部３７が形成され、さらに前側トラッキングコイルＣｔ１と後側トラッキングコイルＣｔ２、および一対のチルトコイルＣｌｔ，Ｃｌｔがラジアル方向に並んで配置されていても、全体として無駄なスペースが無く、レンズホルダ３０のラジアル方向の幅寸法を最小にすることが可能となっている。
【００４５】
図２に示す前側トラッキングコイルＣｔ１と図３に示す後側トラッキングコイルは、同じ形状である。トラッキングコイルＣｔ１，Ｃｔ２は、光軸方向（Ｆ１−Ｆ２方向）に流れる電流がトラッキング補正駆動に寄与するものであり、ラジアル方向の幅寸法よりも光軸方向の寸法が長い縦長形状である。
【００４６】
前側トラッキングコイルＣｔ１と後側トラッキングコイルＣｔ２は、ラジアル方向において異なる位置に配置されているが、図４に示すように、両トラッキングコイルＣｔ１，Ｃｔ２は、光軸方向（Ｆ１−Ｆ２方向）に関しては同じ高さ位置に配置されている。さらに、前側トラッキングコイルＣｔ１の巻き中心、すなわち駆動作用点と、後側トラッキングコイルＣｔ２の巻き中心、すなわち駆動作用点は、レンズホルダ３０の重心Ｇと同じ高さ位置となるように設定されている。
【００４７】
図１に示すように、ピックアップベース２０に設けられた前側ヨーク２８の内側には、前側上部マグネット５１と前側下部マグネット５２が設けられている。図５（Ａ）に示すように、前側上部マグネット５１は、ラジアル方向に細長い形状であり、フォーカシングコイルＣｆに対向している。前側下部マグネット５２は、光軸方向の寸法が長い縦長形状であり、前側トラッキングコイルＣｔ１に対向している。前側下部マグネット５２は、前側トラッキングコイルＣｔ１に流れる一方の向きの電流Ａ２に対向する部分５２ａと他方の向きの電流Ａ３に対向する部分５２ｂとで、コイルに向く面が異なる磁極に着磁されている。
【００４８】
前側上部マグネット５１は光軸方向の上側（Ｆ１側）に片寄って配置され、前側下部マグネット５２は、ラジアル方向の外周側（Ｒ２側）に片寄った位置に配置されており、両マグネット５１，５２が、レンズホルダ３０の前面３４の開口部３７と重ならない領域に配置されている。
【００４９】
図１に示すピックアップベース２０には、レンズホルダ３０よりも後方に立ち上がる後側ヨークが一体に形成されており、この後側ヨークに後側上部マグネット５３と後側下部マグネット５４が固定されている。
【００５０】
図５（Ｂ）に示すように、後側上部マグネット５３は、ラジアル方向に向けて細長形状であり、フォーカシングコイルＣｆに対向している。前側上部マグネット５１と後側上部マグネット５３は、それぞれフォーカシングコイルＣｆに対向する面が同じ磁極に着磁されている。
【００５１】
後側下部マグネット５４は、後側トラッキングコイルＣｔ２と、一対のチルトコイルＣｌｔ，Ｃｌｔの全てに対向できる面積を有している。図５（Ｂ）に示すように、後側下部マグネット５４は、後側トラッキングコイルＣｔ２に流れる電流Ａ２に対向する部分５４ａと電流Ａ３に対向する部分５４ｂとで、コイルに対向する面が異なる磁極に着磁されている。また、後側下部マグネット５４は、Ｒ１側に位置するチルトコイルＣｌｔに流れる電流Ａ４に対向する部分５４ｃと電流Ａ５に対向する部分５４ｄとで、異なる磁極に着磁されており、Ｒ２側に位置するチルトコイルＣｌｔに流れる電流Ａ６に対向する部分５４ｅと電流Ａ７に対向する部分５４ｆとで、コイルに対向する面が異なる磁極に着磁されている。
【００５２】
図５（Ａ）（Ｂ）では、前側下部マグネット５２の部分５２ｂおよび後側下部マグネット５４の部分５４ａ，５４ｃ，５４ｆのレンズホルダ３０に向く面の磁極が同じである。また、前側下部マグネット５２の部分５２ａおよび後側下部マグネット５４の部分５４ｂ，５４ｄ，５４ｅのレンズホルダ３０に向く面の磁極が同じである。
【００５３】
光学ピックアップ装置１０は、回転駆動部に装填されているのがＢＤ（ブルーレイディスク）であるときは、移動ベースに設けられたＢＤ用の光学系の光学素子が光を発する。ＢＤ用の光は、レンズホルダ３０の開口部３７の内側を通過してプリズム４３の全反射面４３ａで反射されて第１の対物レンズ４１に与えられ、第１の対物レンズ４１によってＢＤの記録面に検知光が集光させられる。これにより、ＢＤの記録面への書き込み動作を行うことができる。また、ＢＤの記録面から検知光が反射されると、その反射光が、全反射面４３ａで反射されてＢＤ用の受光素子に受光され、これによりＢＤの記録面から情報を読み取ることができる。
【００５４】
回転駆動部に装填されているのがＤＶＤであるときは、ＤＶＤ用の光学系の発光素子が光を発する。この光は、開口部３７の内側を通過して全反射面４３ａによって反射され、第２の対物レンズ４２によって、ＤＶＤの記録面に集光される。そして、ＤＶＤに対する情報の記録や情報の読み取りが行われる。
【００５５】
また、フォーカシングコイルＣｆに流れる電流Ａ１と、前側上部マグネット５１と後側上部マグネット５３で発せられる磁界によって、レンズホルダ３０が光軸方向（Ｆ１−Ｆ２方向）へ駆動されて、ディスクの記録面に光を集光させるためのフォーカシング補正が行われる。また、前側トラッキングコイルＣｔ１と後側トラッキングコイルＣｔ２に流れる電流Ａ２，Ａ３と、前側下部マグネット５２と後側下部マグネット５４から発せられる磁界とで、レンズホルダ３０がラジアル方向（Ｒ１−Ｒ２方向）へ駆動される。これにより、ディスクの記録面に集光している光が、記録トラックに追従するようにトラッキング補正動作が行われる。
【００５６】
さらに、一対のチルトコイルＣｌｔ，Ｃｌｔに流れる電流Ａ４，Ａ５，Ａ６，Ａ７と、前側下部マグネット５２と後側下部マグネット５４から発せられる磁界とで、対物レンズ４１，４２の光軸Ｏ１，Ｏ２がラジアル方向（Ｒ１−Ｒ２方向）へ倒れるように駆動される。これにより、ディスクが回転するときに記録面が傾いたとしても、光軸Ｏ１，Ｏ２が、記録面に垂直に向けられるようにチルト補正が行われる。
【００５７】
光ピックアップ装置１０は、フォーカシング補正とトラッキング補正およびチルト補正を行う多方向の補正動作が可能であり、また２つの対物レンズ４１，４２が搭載されているにもかかわらず、プリズム４３を内部空間３６に収納でき、光軸方向の寸法を短くできて薄型化を実現できる。
【００５８】
また、ＢＤ用の第１の対物レンズ４１がディスクの内周側であるＲ１側の端部に設けられているため、光ピックアップ装置１０がＢＤの中心側に移動したときにＢＣＡに記録されている情報が読み取りやすくなる。
【００５９】
また、レンズホルダ３０では、図４に示すように、２つのトラッキングコイルＣｔ１，Ｃｔ２の巻き中心（駆動作用点）が光軸方向への同じ高さ位置にあり、またレンズホルダ３０の重心Ｇとも同じ高さにあるため、前側トラッキングコイルＣｔ１と後側トラッキングコイルＣｔ２が、ラジアル方向（Ｒ１−Ｒ２方向）において、異なる位置にあっても、トラッキング補正動作の際に、レンズホルダ３０に、Ｒ１−Ｒ２方向に対してレンズホルダ３０がＴ１方向又はＴ２方向に傾くモーメントが作用しにくい。
【００６０】
また、レンズホルダ３０上では、対物レンズ４１，４２の配列中心がＲ１側に片寄っているが、その分、前側トラッキングコイルＣｔ１がＲ２側に片寄って配置されているため、レンズホルダ３０のラジアル方向の質量分の片寄りを最少限にでき、バランスの良い補正駆動を実現しやすくなる。
【符号の説明】
【００６１】
１０  光ピックアップ装置
２０  ピックアップベース
２５  支持体
２７  弾性支持部材であるワイヤ
３０  レンズホルダ
３２  上面
３３  側面
３４  前面
３５  後面
３７  開口部
４１  第１の対物レンズ
４２  第２の対物レンズ
５１  前側上部マグネット
５２  前側下部マグネット
５３  後側上部マグネット
５４  後側下部マグネット
Ｃｆ  フォーカシングコイル
Ｃｔ１  前側トラッキングコイル
Ｃｔ２  後側トラッキングコイル
Ｃｌｔ  チルトコイル
【図１】
2010277628.tif 000003
【図２】
2010277628.tif 000004
【図３】
2010277628.tif 000005
【図４】
2010277628.tif 000006
【図５】
2010277628.tif 000007